(57)【要約】【課題】  パーソナルコンピュータとＡＶ機器（デバイス）のような記録再生装置とからなる情報処理システムにあって、パーソナルコンピュータと記録再生装置間の転送速度を劣化させることなく、書き込み速度の向上化を実現する。【解決手段】  記憶部３はパーソナルコンピュータ１００から供給されたオーディオコンテンツを上記ＭＤ９０に記録したときに、オーディオコンテンツに関する管理情報を記録すべき、必ず更新が必要な領域（システムデータエリア）を示すフラグを記憶しておく。判別部８は、記憶部３に記憶されたフラグに基づいてシステムデータを記録すべき領域を判別する。記録部２は、判別部８の判別に基づいて記憶部３から取り出したシステムデータをＭＤ９０の所定領域に設けられたシステムデータエリアに記録する。【選択図】  図１
2007080301.tif 000002
【特許請求の範囲】
【請求項１】
情報処理装置と、この情報処理装置に接続されて、当該情報処理装置から供給されたコンテンツを記録媒体に記録する記録装置とを備えてなる情報処理システムにおいて、
上記情報処理装置から供給されたコンテンツを上記記録媒体に記録したときに、コンテンツに関する管理情報を記録すべき、必ず更新が必要な領域を示すフラグを記憶しておく記憶手段と、
上記記憶手段に記憶されたフラグに基づいて上記管理情報を記録すべき領域を判別する判別手段と、
上記判別手段の判別に基づいて上記記憶手段から取り出した上記管理情報を上記記録媒体の所定領域に設けられた上記領域に記録する記録手段と
を備えることを特徴とする情報処理システム。
【請求項２】
上記記録装置の上記判別手段は上記記憶手段に記憶されたフラグに基づいて上記管理情報を記録すべき領域を判別したら、上記情報処理装置からの上記管理情報のすべての受信が完了した後、上記記録手段に上記すべての上記管理情報を上記領域に書き込ませることを特徴とする請求項１記載の情報処理システム。
【請求項３】
上記記録装置の上記判別手段は上記記憶手段にフラグを検出できなかったときは、上記情報処理装置のふるまいに応じて上記記録手段にデータを記録させることを特徴とする請求項２記載の情報処理システム。
【請求項４】
上記記憶手段は、上記フラグと共に上記管理情報を記憶していることを特徴とする請求項１記載の情報処理システム。
【請求項５】
上記コンテンツはオーディオコンテンツであり、上記コンテンツに関する管理情報はオーディオコンテンツファイルに関する管理情報であり、オーディオコンテンツのトラック情報を管理する管理情報、当該トラック情報の改ざんをチェックする管理情報、及びこれらの各管理情報のエントリを示すルートディレクトリデータであることを特徴とする請求項１記載の情報処理システム。
【請求項６】
上記必ず更新が必要な領域は、固定容量の記録領域であり、上記各管理情報はフラグに応じて予め割り付けられた領域に順不動で書きこまれることを特徴とする請求項５記載の情報処理システム。
【請求項７】
情報処理装置に接続されて、当該情報処理装置から供給されたコンテンツを記録媒体に記録する記録装置において、
上記情報処理装置から供給されたコンテンツを上記記録媒体に記録したときに、コンテンツに関する管理情報を記録すべき、必ず更新が必要な領域を示すフラグを記憶しておく記憶手段と、
上記記憶手段に記憶されたフラグに基づいて上記管理情報を記録すべき領域を判別する判別手段と、
上記判別手段の判別に基づいて上記記憶手段から取り出した上記管理情報を上記記録媒体の所定領域に設けられた上記領域に記録する記録手段と
を備えることを特徴とする記録装置。
【発明の詳細な説明】
【技術分野】
【０００１】
本発明は、パーソナルコンピュータのような情報処理装置と、この情報処理装置に接続されて、当該情報処理装置から供給されたコンテンツを例えば光磁気ディスクのような記録媒体に記録する記録装置からなる情報処理システムに関する。また、上記記録装置に関する。
【背景技術】
【０００２】
パーソナルコンピュータ（ＰＣ）には、記憶媒体としてＨＤＤ（ハードディスクドライブ）が備えられる。そして、周知のようにして、このようなＨＤＤに対するファイルの記録再生は、いわゆるファイルシステムが採用される。例えばこのようなファイルシステムとしては、ＦＡＴ（Ｆｉｌｅ Ａｌｌｏｃａｔｉｏｎ Ｔａｂｌｅ）が知られている（例えば非特許文献１参照）。
【０００３】
また、近年においては、上記したパーソナルコンピュータの周辺機器として、ビデオ、オーディオなどのコンテンツデータを記録再生できるＡＶ機器が提案され、また、知られるようになってきている。このようなＡＶ機器は、例えば携帯可能な程度のサイズ形状とされる。そして、所定のデジタルインターフェイスによって、パーソナルコンピュータと接続されることで、例えばパーソナルコンピュータ側から、コンテンツデータを取り込み、装填された所定の記録媒体に記録して保存することができる。そして、このようにして記録媒体にコンテンツデータを保存した後は、ＡＶ機器単体で、記録媒体からコンテンツデータを再生して音声、画像として出力することが可能とされている。
【０００４】
上記したようなＡＶ機器において、記録媒体に記録したコンテンツデータを管理するのにあたっては、例えば、ファイルシステムを採用することも提案され、また、実現されてきている。このようにすれば、ファイル管理の形態は、データインターフェイスを介して接続されるパーソナルコンピュータと同様となるから、それだけ、パーソナルコンピュータとの親和性が高まり、この点で、有用性が高い。
【０００５】
ところで、従来から、直径を略６４ｍｍとし、例えば楽音信号で７４分以上の記録を可能となす記憶容量を備えている、小径の光ディスクが広く知られている。この小径の光ディスクは、ミニディスクＭＤ（登録商標）と呼ばれ、ピットによりデータが記録されている再生専用型と、光磁気記録（ＭＯ）方式によりデータが記録されており再生も可能な記録再生型の２種類がある。上記光磁気ディスクは記録容量を上げるため、トラックピッチや、記録レーザ光の記録波長或いは対物レンズのＮＡ等が改善されてきている。
【０００６】
図１３に示すように、トラックピッチ１．６μｍでグルーブ記録、また変調方式がＥＦＭである、初期の光磁気ディスクを第１世代ＭＤと記す。この第１世代ＭＤの物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式を採っている。なお、本明細書では、ウォブリングにより記録される絶対アドレスをＡＤＩＰ（Address in Pregroove）ともいう。この第１世代ＭＤは、記録データの変調方式として、ＥＦＭ（８−１４変換）変調方式が採用されている。また、誤り訂正方式としては、ＡＣＩＲＣ(Advanced Cross Interleave Reed-Solomon Code)を用いている。また、データインターリーブには、畳み込み型を採用している。これにより、データの冗長度は、４６．３％となっている。また、第１世代ＭＤにおけるデータの検出方式は、ビットバイビット方式であって、ディスク駆動方式としては、ＣＬＶ(Constant Linear Verocity)が採用されている。ＣＬＶの線速度は、１．２ｍ／ｓである。記録再生時の標準のデータレートは１３３ｋＢ／ｓ、記録容量は１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【０００７】
さらに、近年では、第１世代ＭＤよりもさらに記録容量を上げた高密度ＭＤ（Ｈｉ−ＭＤ１）が開発された。従来の媒体（ディスクやカートリッジ）はそのままに、変調方式や、論理構造などを変更してユーザエリア等を倍密度にし、記録容量を例えば３００ＭＢに増加したＭＤである。記録媒体の物理的仕様は、同一であり、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、第１世代ＭＤと同様である。この高密度ＭＤ１は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、再生データから２値化データを検出する検出方式としては、PR(1,2,1)MLを採用している。また、誤り訂正方式としては、より訂正能力の高いＢＩＳ（Burst Indicator Subcode）付きのＲＳ−ＬＤＣ（Reed Solomon−Long Distance Code）方式を用いている。
【０００８】
さらに、高密度ＭＤとしては、高密度ＭＤ１より記録容量を増加した高密度ＭＤ３（Ｈｉ−ＭＤ３）が、外形、光学系は互換性を保ちながらも、トラックピッチを１．２５μｍに狭め、かつ例えば前記グルーブから磁壁移動検出（Domain Wall Displacement Detection：ＤＷＤＤ）によって記録マークを検出する方式で開発された。この高密度ＭＤ３は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、PR（1,-1）MLによるビタビ復号方式を用いる。また、データの最小書換単位であるクラスタは、１６セクタ、６４ｋＢで構成されている。ディスク駆動方式にはＺＣＡＶ方式を用い、その線速度は２．０ｍ／ｓとする。記録再生時の標準データレートは、９．８ＭＢ／ｓである。したがって、高密度ＭＤ３では、ＤＷＤＤ方式及びこの駆動方式を採用することにより、総記録容量を１ＧＢにできた。
【０００９】
これらのＭＤ，Ｈｉ−ＭＤは、上記パーソナルコンピュータからのコンテンツデータを記録する記録媒体として用いることができる。これらの記録媒体に、パーソナルコンピュータから送られてきたオーディオコンテンツをＡＶ機器により書き込む場合を想定する。
【００１０】
例えば、Ｈｉ−ＭＤのディスク上には、オーディオコンテンツによらず、必ず更新が必要なシステムデータエリアがある。このシステムファイルの書込み時に、データ保証の信頼性向上のため、確認読み込み処理(以下、処理Ａという)を行っている。また、パーソナルコンピュータが読み/書き込み要求するデータ長は、パーソナルコンピュータの任意であるが、Ｈｉ−ＭＤメディアから読み/書き込みを行う単位は固定であるため、データ長によっては、書込みのための読み込み処理（以下、処理Ｂという）が必要になる。
【００１１】
【非特許文献１】Ｍｉｃｒｏｓｏｆｔ Ｅｘｔｅｎｓｉｂｌｅ Ｆｉｒｍｗａｒｅ Ｉｎｉｔｉａｔｉｖｅ ＦＡＴ３２ Ｆｉｌｅ Ｓｙｓｔｅｍ Ｓｐｅｃｉｆｉａｔｉｏｎｈｔｔｐ：／／ｗｗｗ．ｍｉｃｒｏｓｏｆｔ．ｃｏｍ／ｈｗｄｅｖ／ｈａｒｄｗａｒｅ／ｆａｔｇｅｎ．ａｓｐ
【発明の開示】
【発明が解決しようとする課題】
【００１２】
しかしながら、上記処理Ａと処理Ｂは、スレッドの移動時間とディスクからの読み込み時間を要するため、回数が多くなるほど、処理時間が増える傾向にある。現在のシステムでは、デバイスのふるまいはパーソナルコンピュータに従うため、処理Ａと処理Ｂが数回発生し、信頼性向上化の一方で、書き込み速度低下の原因になっている。
【００１３】
本発明は、上記実情に鑑みてなされたものであり、パーソナルコンピュータとＡＶ機器（デバイス）のような記録再生装置とからなる情報処理システムにあって、パーソナルコンピュータと記録再生装置間の転送速度を劣化させることなく、書き込み速度の向上化を実現することができる、情報処理システムの提供を目的とする。また、の提供を目的とする。
【課題を解決するための手段】
【００１４】
本発明に係る情報処理システムは、上記課題を解決するために、情報処理装置と、この情報処理装置に接続されて、当該情報処理装置から供給されたコンテンツを記録媒体に記録する記録装置とを備えてなる情報処理システムにおいて、上記情報処理装置から供給されたコンテンツを上記記録媒体に記録したときに、コンテンツに関する管理情報を記録すべき、必ず更新が必要な領域を示すフラグを記憶しておく記憶手段と、上記記憶手段に記憶されたフラグに基づいて上記管理情報を記録すべき領域を判別する判別手段と、上記判別手段の判別に基づいて上記記憶手段から取り出した上記管理情報を上記記録媒体の所定領域に設けられた上記領域に記録する記録手段とを備える。
【００１５】
パーソナルコンピュータから、例えばＨｉ−ＭＤディスクのような高密度記録光磁気ディスクにオーディオコンテンツを書き込む場合、デバイスは、パーソナルコンピュータから指定される書込みアドレスに従って、書込みを行わなければならない。よって、書込み指定されるアドレスや、書込み命令が発行されるタイミングにデバイス側は左右されることになる。
【００１６】
このＨｉ−ＭＤメディア上には、オーディオコンテンツによらず、必ず更新が必要なシステムデータエリアがあり、通常のオーディオデータの書き込みとは異なる処理を行っているため、オーディオデータの場合と比較して、処理時間が長い。従って、システムデータエリアについては、パーソナルコンピュータから全て受信が完了した後、ディスクへの書き込みを行うことにより、パーソナルコンピュータとデバイス間の処理速度を低下させずに、ディスクへの書き込み速度の向上化を実現することができる。
【００１７】
なお、ここでいうオーディオコンテンツとは、例えばＨｉ−ＭＤ Ａｕｄｉｏ規格に準拠したオーディオコンテンツを意味する。
【００１８】
本発明に係る記録装置は、上記課題を解決するために、情報処理装置に接続されて、当該情報処理装置から供給されたコンテンツを記録媒体に記録する記録装置において、上記情報処理装置から供給されたコンテンツを上記記録媒体に記録したときに、コンテンツに関する管理情報を記録すべき、必ず更新が必要な領域を示すフラグを記憶しておく記憶手段と、上記記憶手段に記憶されたフラグに基づいて上記管理情報を記録すべき領域を判別する判別手段と、上記判別手段の判別に基づいて上記記憶手段から取り出した上記管理情報を上記記録媒体の所定領域に設けられた上記領域に記録する記録手段とを備える。
【発明の効果】
【００１９】
本発明によれば、パーソナルコンピュータとＡＶ機器（デバイス）のような記録再生装置とからなる情報処理システムにあって、パーソナルコンピュータと記録再生装置間の転送速度を劣化させることなく、書き込み速度の向上化を実現することができる。また、速度の向上化を伴うデータ保証の信頼性劣化を生じない記録再生装置を提供できる。
【発明を実施するための最良の形態】
【００２０】
以下、本発明を実施するための最良の形態について図面を参照しながら説明する。
【００２１】
この実施の形態は、一例として、磁界変調方式でデータ記録が行われる光磁気ディスクであるミニディスク（ＭＤ）方式のディスクに対する記録装置とする。但し、既に普及している音楽用途のミニディスクのみではなく、より高密度記録を可能とする、高密度ディスク（Ｈｉ−ＭＤ）についても対応可能な記録装置である。
【００２２】
図１にあって、記録装置１は、例えばパーソナルコンピュータ１００に対する外部の周辺機器として、データ通信可能であり、パーソナルコンピュータ１００からのデータを記録可能な機器である。記録装置１とパーソナルコンピュータ装置１００とは、本発明の情報処理システムを構成する。
【００２３】
つまり、記録装置１は、パーソナルコンピュータ１００とＵＳＢケーブル等の伝送路１０１で接続されることで、情報処理システム内のパーソナルコンピュータ１００に対する外部ストレージ機器として機能できる。また、パーソナルコンピュータ１００を介したり、或いは直接ネットワークと接続できる機能を備えるなどしてネットワーク接続されることで、音楽や各種データをダウンロードし、記録装置１において書き込み部２により各種ＭＤに記録できる。
【００２４】
図２は、記録装置１で記録媒体とされるＭＤ（光磁気ディスク）９０のディスク上のエリア構造を模式的に示す。図２に示すように、ディスクの最内周側はＰ−ＴＯＣ（プリマスタードＴＯＣ）領域とされ、ここは物理的な構造としてはプリマスタードエリアとなる。即ち、エンボスピットによる再生専用データが記録されるエリアであり、その再生専用データとして管理情報であるＰ−ＴＯＣが記録される。
【００２５】
プリマスタードエリアより外周はレコーダブルエリア（光磁気記録可能な領域）とされ、記録トラックの案内溝としてのグルーブが形成された記録再生可能領域となっている。
【００２６】
このレコーダブルエリアの最内周側はＵ−ＴＯＣ領域とされる。なおＵ−ＴＯＣ領域では、プリマスタードエリアとの緩衝エリアや、レーザ光の出力パワー調整等のために用いられるパワーキャリブレーションエリアが設けられ、またＵ−ＴＯＣ領域内の特定の３クラスタの区間にＵ−ＴＯＣデータが３回繰り返し記録される。
【００２７】
Ｕ−ＴＯＣの内容の詳細については説明すると、プログラムエリアに記録されている各トラックのアドレス、フリーエリアのアドレス等が記録され、また各トラックに付随するトラックネーム、記録日時などの情報が記録できるようにＵ−ＴＯＣセクターが規定されている。
【００２８】
レコーダブルエリアにおいてＵ−ＴＯＣ領域より外周側にアラートトラック及びデータエリアが形成される。アラートトラックは、このディスクが高密度ディスクであって、従前のミニディスクプレーヤでは再生できないことを示す警告音が記録された警告トラックである。データエリアは、オーディオデータやコンピュータユースのデータなどの記録に用いられるエリアとなる。
【００２９】
即ち、通常の音楽用ミニディスクの場合であれば、データエリアに１又は複数の音楽トラックが記録される。高密度ディスクの場合は、データエリアが各種データのストレージ領域として用いられるものとなる。
【００３０】
次に、図３により、ディスクの管理構造を説明する。図３（ｂ）は、音楽用ミニディスクシステムでの管理構造を示している。この場合、管理情報としては、Ｐ−ＴＯＣ、Ｕ−ＴＯＣが記録される。Ｐ−ＴＯＣは書き換え不能な情報としてピットにより記録される。このＰ−ＴＯＣには、ディスクの基本的な管理情報として、ディスクの総容量、Ｕ−ＴＯＣ領域におけるＵ−ＴＯＣ位置、パワーキャリブレーションエリアの位置、データエリアの開始位置、データエリアの終了位置（リードアウト位置）などが記録されている。
【００３１】
一方、レコーダブルエリアに記録されるＵ−ＴＯＣは、トラック（オーディオトラック／データトラック）の記録、消去などに応じて書き換えられる管理情報であり、各トラック（トラックを構成するパーツ）について開始位置、終了位置、やモードを管理する。また、データエリアにおいて未だトラックが記録されていないフリーエリア、つまり書込可能領域としてのパーツも管理する。
【００３２】
例えば図示するようにデータエリア内に、ＡＴＲＡＣデータとして３曲のオーディオトラックが記録されている場合、Ｕ−ＴＯＣでは、３つのトラックをそれぞれスタートアドレス、エンドアドレス、モード情報、さらには記録日時や名称情報を管理することになる。
【００３３】
高密度ディスクの場合は図３（ａ）のようになる。高密度ディスクの場合も、Ｕ−ＴＯＣ及びＰ−ＴＯＣは、従前のミニディスクシステムに準拠する方式で記録される。図３（ａ）のデータエリアには、１つの高密度データトラックを示しているが、Ｕ−ＴＯＣでは、この高密度データトラックを１つのトラックとして管理する状態となっている。つまりＵ−ＴＯＣからは、ディスク上における、データトラックの全体としての１又は複数のパーツ位置を管理するものとなる。なお、上述したアラートトラックの位置もＵ−ＴＯＣに管理される。
【００３４】
高密度データトラックは、ＲＳ−ＬＤＣ及びＲＬＬ（１−７）ＰＰ方式で変調された高密度データによって形成されるトラックとされる。高密度データトラック内には、該データトラックに含まれる高密度データクラスタを管理するクラスタアトリビュートテーブル（ＣＡＴ：Ｃｌｕｓｔｅｒ Ａｔｔｒｉｂｕｔｅ Ｔａｂｌｅ）が記録される。ＣＡＴでは、データトラックを構成する高密度データクラスタのそれぞれについての属性（公開可能／不可、正常／不良等）を管理する。
【００３５】
このデータトラック内で公開不可とされる高密度データクラスタを用いて、著作権保護等のために用いられる、ディスクに固有のユニークＩＤ（ＵＩＤ）や、データ改竄チェックのためのハッシュ値（ｈａｓｈ）が記録される。もちろんこれ以外にも、各種の非公開情報が記録されても良い。この公開不可とされる領域には、特別に許可された機器のみが限定的にアクセスすることができるものとする。
【００３６】
データトラック内で公開可能とされる高密度データクラスタによる領域（エクスポータブルエリア）は、例えばＵＳＢやＳＣＳＩなどの汎用データインターフェースを経由して、外部のコンピュータなどがアクセスし、記録領域として利用できる領域とされる。例えばこの図３（ａ）の場合、エクスポータブルエリアには、ＦＡＴ及びＦＡＴ管理のデーファイルによる、ＦＡＴファイルシステムが構築されている状態を示している。つまり、エクスポータブルエリアに記録されるデータは、Ｕ−ＴＯＣによっては管理されず、ＦＡＴなどの汎用的な管理情報により管理される形態となり、ミニディスクシステムに準拠しない外部のコンピュータなどによって認識可能なデータとなる。
【００３７】
ＡＴＲＡＣ方式等の音楽データ等がＦＡＴシステム上で記録される場合は、その音楽データ等のファイルを管理する管理情報としてプレイリストが記録される。このプレイリストはＦＡＴシステム上の１つのファイルとして記録されるものであり、記録再生装置１のシステムコントローラは、音楽データファイルの再生時にはプレイリストからアドレス等を把握するものとなる。
【００３８】
なお、このような構造のデータトラックが、ディスク上に複数記録される場合もある。その場合、各データトラックが、それぞれ１つのトラックとしてＵ−ＴＯＣから管理され、それぞれのデータトラック内のエクスポータブルエリア内のデータについては、ＦＡＴ等により管理される。例えば各データトラックがそれぞれ独自にＦＡＴファイルシステムを持つものとなる。あるいは、複数のデータトラックに渡って一つのＦＡＴファイルシステムが記録されるようにしてもよい。
【００３９】
また、ユニークＩＤ等の情報は、データトラック内であって、ＦＡＴ管理されないデータとする例を述べたが、ＦＡＴ管理されない情報とするなら、どのような論理形態で記録されてもよい。例えばＵ−ＴＯＣから直接的に管理されるトラックとして、非公開情報用のトラックを設けるようにしたり、あるいはＵ−ＴＯＣ／Ｐ−ＴＯＣ内に記録してもよい。更に、Ｕ−ＴＯＣ領域内で、Ｕ−ＴＯＣに使用されていない部分を用いて、非公開情報用の記録領域を設けてもよい。
【００４０】
なお、説明上、従前のミニディスクを「音楽用ミニディスク」と呼ぶが、いわゆるＭＤ−ＤＡＴＡとして知られているミニディスクも、この音楽用ミニディスクの範疇となる。また、高密度ディスクに対してデータファイルとして音楽データが記録されることも当然にあり得る。例えばネットワークやパーソナルコンピュータからの音楽ファイルのダウンロードの場合などである。
【００４１】
図１に戻り、記録装置１について説明する。この記録装置１は、機能的に記憶部３と、判別部８と、書き込み部２とを備えている。記憶部３は情報処理装置（パーソナルコンピュータ１００）から供給されたオーディオコンテンツを上記ＭＤ９０に記録したときに、オーディオコンテンツに関する管理情報（システムデータ）を記録すべき、必ず更新が必要な領域（システムデータエリア）を示すフラグを記憶しておく。
【００４２】
判別部８は、記憶部３に記憶されたフラグに基づいてシステムデータを記録すべき領域（システムデータエリア）を判別する。記録部２は、判別部８の判別に基づいて記憶部３から取り出したシステムデータをＭＤ９０の所定領域に設けられたシステムデータエリアに記録する。
【００４３】
また判別部８は、記憶部３に記憶されたフラグに基づいてシステムデータを記録すべきシステムデータエリアを判別したら、パーソナルコンピュータ１００からのシステムデータの全ての受信が完了した後、記録部２に全てのシステムデータをシステムデータエリアに書き込ませる。
【００４４】
判別部８は、記憶部３にフラグを検出できなかったときは、パーソナルコンピュータ１００のふるまいに応じてＭＤ９０にデータを記録させる。また、記憶部３は、フラグと共にシステムデータを記憶している。
【００４５】
上記コンテンツは、オーディオコンテンツであり、上記コンテンツに関する管理情報（システムデータ）はオーディオコンテンツファイルに関する管理情報であり、オーディオコンテンツのトラック情報を管理する管理情報、当該トラック情報の改ざんをチェックする管理情報、及びこれらの各管理情報のエントリを示すルートディレクトリデータである。このシステムデータについての具体例は後述する。
【００４６】
上記必ず更新が必要な領域は、固定容量の記録領域であり、上記各管理情報はフラグに応じて予め割り付けられた領域に順不動で書きこまれる。もちろん、所定の順で書きこまれてもよい。
【００４７】
次に、記録装置１の詳細な構成について図４を参照しながら説明する。図４では、記録再生装置として説明する。記録装置に再生装置も付加した構成である。よって、ここからは記録再生装置１とする。
【００４８】
この記録再生装置１はパーソナルコンピュータ１００等に接続しなくとも、例えばＡＶ（オーディオ・ビデオ）機器として機能する。例えば他のＡＶ機器等から入力されたオーディオデータやビデオデータ（ＡＶデータ）をディスクに記録したり、ディスクに記録された音楽データ等を再生出力することができる。
【００４９】
即ち記録再生装置１は、パーソナルコンピュータ１００等に接続されることで汎用的なデータストレージ機器として利用でき、かつ単体ではＡＶ対応の記録再生機器としても利用できる装置である。
【００５０】
記録再生装置１は、ストレージ部（図１の記録部２に相当）２、キャッシュメモリ（図１の記憶部３に相当）３、ＵＳＢインターフェース４、入出力処理部５、表示部６、操作部７、システムコントローラ（図１の判別部８に相当）８、ＲＯＭ９、ＲＡＭ１０、キャッシュ管理メモリ１１、ＮＶ−ＲＡＭ１２を備える。
【００５１】
ストレージ部２は、装填されたディスクに対する記録／再生を行う。本実施の形態で用いるいわゆるミニディスク方式のディスク及びそれに対応するストレージ部２の構成については後述する。
【００５２】
キャッシュメモリ３は、ストレージ部２でディスクに記録するデータ、或いはストレージ部２によってディスクから読み出されたデータについてのバッファリングを行うキャッシュメモリである。例えばＤ−ＲＡＭより構成される。キャッシュメモリへのデータの書込／読出は、システムコントローラ（ＣＰＵ）８において起動されるタスクによって制御される。前述したようにキャッシュメモリ３は、情報処理装置（パーソナルコンピュータ１００）から供給されたオーディオコンテンツを上記ＭＤ９０に記録したときに、オーディオコンテンツに関する管理情報（システムデータ）を記録すべき、必ず更新が必要な領域（システムデータエリア）を示すフラグを記憶している。
【００５３】
ＵＳＢインターフェース４は、例えばパーソナルコンピュータ１００とＵＳＢケーブルとしての伝送路１０１で接続された際の、データ伝送のための処理を行う。入出力処理部５は、例えば記録再生装置１が単体でオーディオ機器として機能する場合に記録再生データの入出力のための処理を行う。
【００５４】
システムコントローラ８は、記録再生装置１内の全体の制御を行うと共に、接続されたパーソナルコンピュータ１００との間の通信制御を行う。また、システムコントローラ８は、キャッシュメモリ３に記憶されたフラグに基づいてシステムデータを記録すべき領域（システムデータエリア）を判別する。また、システムコントローラ８は、キャッシュメモリ３に記憶されたフラグに基づいてシステムデータを記録すべきシステムデータエリアを判別したら、パーソナルコンピュータ１００からのシステムデータの全ての受信が完了した後、ストレージ部２に全てのシステムデータをシステムデータエリアに書き込ませる。また、システムコントローラ８は、キャッシュメモリ３にフラグを検出できなかったときは、パーソナルコンピュータ１００のふるまいに応じてＭＤ９０にデータを記録させる。また、キャッシュメモリ３は、フラグと共にシステムデータを記憶している。
【００５５】
ＲＯＭ９にはシステムコントローラ８の動作プログラムや固定パラメータ等が記憶される。ＲＡＭ１０はシステムコントローラ８によるワーク領域として用いられ、また各種必要な情報の格納領域とされる。例えばストレージ部２によってディスクから読み出された各種管理情報や特殊情報を記憶する。例えばＰ−ＴＯＣデータ、Ｕ−ＴＯＣデータ、プレイリストデータ、ＦＡＴデータ、ユニークＩＤ、ハッシュ値等を記憶する。
【００５６】
Ｐ−ＴＯＣデータ、Ｕ−ＴＯＣデータはミニディスクに記録されている音楽トラック等の管理情報である。また記録再生装置１が対応できるミニディスク方式に準拠した高密度ディスクは、Ｐ−ＴＯＣ、Ｕ−ＴＯＣによる管理形式のうえに、ＦＡＴファイルシステムを構築したものである。
【００５７】
プレイリストは、上述したように、高密度ディスクにおいてＡＴＲＡＣ方式などによる音楽データ等のアドレス等を管理する情報であって、ＦＡＴシステム上の１つのファイルとして記録されるものである。高密度ディスクが装填された場合には、これらＦＡＴやプレイリストの情報も読み込むことになる。ユニークＩＤ、ハッシュ値等はパーソナルコンピュータ１００等との間でのデータ伝送に際しての認証処理や暗号化／復号に用いられる情報である。
【００５８】
キャッシュ管理メモリ１１は、例えばＳ−ＲＡＭで構成され、キャッシュメモリ３の状態を管理する情報が格納される。システムコントローラ８はキャッシュ管理メモリ１１を参照しながらデータキャッシュ処理の制御を行う。キャッシュ管理メモリ１１の情報については後述する。ＮＶ−ＲＡＭ（不揮発性ＲＡＭ）１２は、電源オフ時にも消失させないデータの格納領域として用いられる。
【００５９】
表示部６は、システムコントローラ８の制御に基づいて、ユーザーに対して提示すべき各種情報の表示を行う。例えば動作状態、モード状態、楽曲等のデータの名称情報、トラックナンバ、時間情報、その他の情報表示を行う。
【００６０】
操作部７には、ユーザーの操作のための各種操作子として、操作キーやジョグダイヤルなどが形成される。ユーザーは記録・再生、データ通信のための所要の動作を操作部７を操作して指示する。システムコントローラ８は操作部７によって入力された操作情報に基づいて所定の制御処理を行う。
【００６１】
パーソナルコンピュータ１００等が接続された際の、システムコントローラ８による制御は例えば次のようになる。システムコントローラ８は、ＵＳＢインターフェース４を介して接続されたパーソナルコンピュータ１００との間で通信可能とされ、書込要求、読出要求等のコマンドの受信やステイタス情報その他の必要情報の送信などを行う。システムコントローラ８は、例えばディスクがストレージ部２に装填されることに応じて、ディスクからの管理情報等の読出をストレージ部２に指示し、キャッシュメモリ３を介して取り込んでＲＡＭ１０に格納させる。Ｐ−ＴＯＣ、Ｕ−ＴＯＣの管理情報を読み込ませることで、システムコントローラ８はディスクのトラック記録状態を把握できる。またＣＡＴを読み込ませることによりデータトラック内の高密度データクラスタ構造を把握でき、パーソナルコンピュータ１００からのデータトラックに対するアクセス要求に対応できる状態となる。またユニークＩＤやハッシュ値により、ディスク認証その他の処理を行ったり、或いはこれらの値をパーソナルコンピュータ１００に送信して処理させることができる。
【００６２】
パーソナルコンピュータ１００からの或るデータの読出要求があった場合は、システムコントローラ８はストレージ部２に、当該データの読出を実行させる。読み出されたデータは、必要に応じてＡＶ信号処理部にて信号処理が施された上で、キャッシュメモリ３に書き込まれる。但し、既に当該要求されたデータが既にキャッシュメモリ３に格納されていた場合は、ストレージ部２による読出は必要ない。いわゆるキャッシュヒットである。そしてシステムコントローラ８はキャッシュメモリ３に書き込まれているデータを読み出させ、ＵＳＢインターフェース４を介してパーソナルコンピュータ１００に送信させる制御を行う。
【００６３】
パーソナルコンピュータ１００からの或るデータの書込要求があった場合は、システムコントローラ８は、伝送されてくるデータをキャッシュメモリ３に格納させる。そして、キャッシュメモリ３に格納されたデータをストレージ部２によってディスクに記録させる。なお、ディスクへのデータ記録は、クラスタという単位が最小単位で行われるものとされる。例えばクラスタは３２ＦＡＴセクターである。もし、パーソナルコンピュータ１００等が記録要求したデータ量が数セクターなどであって１クラスタに満たない場合、ブロッキングと呼ばれる処理が行われる。即ちシステムコントローラ８は、ストレージ部２に、まず当該ＦＡＴセクターを含むクラスタの読出を実行させる。読み出されたクラスタデータはキャッシュメモリ３に書き込まれる。そしてシステムコントローラ８は、パーソナルコンピュータ１００からのＦＡＴセクターのデータ（記録データ）をＵＳＢインターフェース４を介してキャッシュメモリ３に供給させ、格納されているクラスタデータに対して、該当するＦＡＴセクターのデータの書換を実行させる。そしてシステムコントローラ８は、必要なＦＡＴセクターが書き換えられた状態でキャッシュメモリ３に記憶されているクラスタデータを、記録データとしてストレージ部２に転送させる。ストレージ部２では、当該クラスタ単位のデータをディスクに書き込む。
【００６４】
また、例えばＨｉ−ＭＤのディスク上には、前述したように、オーディオコンテンツによらず、必ず更新が必要なシステムデータエリアがある。このシステムファイルの書込み時に、データ保証の信頼性向上のため、確認読み込み処理(以下、処理Ａという)を行っている。また、パーソナルコンピュータが読み/書き込み要求するデータ長は、パーソナルコンピュータの任意であるが、Ｈｉ−ＭＤメディアから読み/書き込みを行う単位は固定であるため、データ長によっては、書込みのための読み込み処理（以下、処理Ｂという）が必要になる。
【００６５】
処理Ａの確認読み込み処理について、図５を参照して説明する。Ｈｉ-ＭＤディスクのシステムデータエリアにおいて、書き込みを行ったアドレスに対し、書き込み終了後に読み込みを行う処理である。データの信頼性を高める処理であるが、通常の書き込みに加えて、(スレッドアクセス＋読み込み)時間が加算されるため、処理速度は低下する。
【００６６】
次に処理Ｂの書きこみのための読込み処理について、図６及び図７を参照して説明する。まず、処理Ｂを行わない場合について説明する。Ｈｉ-ＭＤディスクへの読み/書き込み単位は例えば、64KB固定のように固定である。一方、パーソナルコンピュータは読み/書き要求の際、ディスクの読み/書き込み単位に関係なく、任意にデータ長を指定する。従って、ディスクの読み/書き込み単位を考慮せずに、パーソナルコンピュータの要求に従った場合、図６のようにディスクの既存データを破壊してしまう。
【００６７】
処理Ｂを行わない場合の既存データ破壊について詳細に説明する。図６において、パーソナルコンピュータ（PC）から書きこみのPCデータが送られてくる。このときの書き込みのデータ長は任意であり、例えば32KBである。記録再生装置１は、ディスク上の書きこみ単位（64KB）にあわせて、ＤＲＡＭ内でノンデータ（Non-Data）32KBをPCデータに付加し、64KBの書きこみ単位にして、ストレージ部２からＨｉ−ＭＤに書きこむ。すると、書き込み前の既存データ（64KB）は、上記ＤＲＡＭからのノンデータが付加された書き込み単位の書き込みデータに置き換えられてします。本来、ディスク上にあるべきデータは、パーソナルコンピュータからの32KBのPCデータと既存データ（32KB）であるはずが、既存データが破壊されてしまうことになる。
【００６８】
そこで、処理Ｂが必要となる。図７に処理Ｂの概要を示す。処理Ｂでは、パーソナルコンピュータが指定するデータ長（任意、ここでは32KB）が書き込み単位に満たない場合、書き込みアドレスに対し、読み込みを行って、ＤＲＡＭ内でNon-Dataエリアを既存データに置き換える。これにより、パーソナルコンピュータが指定するデータ長をＨｉ−ＭＤディスクに書き込むことができ、かつ既存のデータを破壊せず、保持することができる。しかし、この処理Ｂでは、Ｈｉ−ＭＤから書きこみアドレスに応じた既存データの読み込み処理が発生するので、処理速度は低下する。
【００６９】
図８にはシステムデータエリアのデータ配列を示す。このシステムデータエリア(Data_1、Data_2、Data_3)は、パーソナルコンピュータからオーディオコンテンツをＨｉ−ＭＤディスクに書き込む際に、更新を行う必要がある。システムデータは、パーソナルコンピュータで生成されるような、例えばテキストtxtデータや、xlsデータ等をＨｉ−ＭＤメディアに書きこむ際に、パーソナルコンピュータから送信されるデータではない。
【００７０】
本実施の形態でいうシステムデータとは、Ｈｉ−ＭＤオーディオ規格に準拠したオーディオコンテンツをＨｉ−ＭＤディスクに書きこむ場合にのみ、パーソナルコンピュータから送信されるオーディオコンテンツのシステムデータを表す。オーディオコンテンツをＨｉ−ＭＤに書きこむ場合、パーソナルコンピュータ１００から記録再生装置１に対して、書き込みコマンドを発行する。このコマンドは、11Byteからなるデータで構成されている。このコマンドのなかの1Byteが書き込みの際のオプションパラメータエリアとして定義されている。この中にシステムエリアであることを示すパラメータがあり、記録再生装置１側でシステムエリアであることを認識することが可能である。このパラメータを参照することにより、システムデータであることを判定できる。
【００７１】
図８にあって、システムデータエリアのData_1は32KBあり、例えばエイチエムディーハイファイHMDHIFIが書き込まれる。エイチエムディーハイファイHMDHIFIは、下記のティフTIF、マックMACのエントリを示すルートディレクトリデータである。Data_2は5×64KBあり、ティフTIFつまりトラックインデックスファイル（Track Index File）が書き込まれる。ティフTIFは、オーディオコンテンツのトラック情報を管理しているデータである。Data_3は32KBあり、マックMACつまりマックリストファイル（MAC List File）が書き込まれる。マックMACは、TIFの改ざんチェック用の値が示されるデータである。これらのシステムデータは、例えばフラグが付加されており、記録装置１側でフラグを見ることにより明確に区別が付けられているデータである。記録再生装置１側で例えばフラグを見ることにより、明確に判別ができるデータであれば、エイチエムディーハイファイHMDHIFI、ティフTIF、マックMAに限定されるものではない。もちろん、明確に判別できるデータであれば、システムデータに限るものでもない。
【００７２】
次に、パーソナルコンピュータ１００から送信されたシステムデータの記録再生装置１を介したＨｉ−ＭＤへの書き込み処理について説明する。ここでは、本発明を適用していない書き込み処理について説明する。パーソナルコンピュータからオーディオコンテンツをメディア（Ｈｉ−ＭＤ）に書き込む際、Data_1、Data_2、Data_3の順に要求され、デバイス（記録再生装置１）側は要求された順に3回の書き込み処理を行う。
【００７３】
図９に、本発明を適用していない書き込み処理について示す。Data_1には書き込み処理の後に、処理Ｂ、処理Ａが行われる。Data_2には、書き込み、処理Ａが行われる。Data_3には、書き込み、処理Ａが行われる。合計で処理Ａが３回、処理Ｂが１回となり、書き込み速度低下の原因となっている。
【００７４】
そこで、本発明の実施例では、システムデータエリア書き込み処理を以下に説明するように行う。まず、Data_1、Data_2、Data_3はディスク上の連続したアドレスに割り当てられる。従って、物理的に連続なアドレス配置であるので、1回の書き込み処理で完了したい。従って、デバイスがディスクに書き込む際に、Data_1、Data_2、Data_3のデータについては、Data_3データの受信が完了後、1回の処理でディスクに書き込む処理とする。
【００７５】
図１０は、上記システムデータエリア書きこみ処理の手順を示すフローチャートである。もちろん、記録再生装置１にて行われる処理である。
【００７６】
まず、ステップＳ１にてPCデータをパーソナルコンピュータ１００から受信する。ステップＳ２では、システムデータであるか否かを前述のパラメータを参照してチェックする。システムデータであると判定すると、Data_1、Data_2、Data_3を例えば6.5MBのリングバッファであるＤＲＡＭに格納し、ステップＳ３にてData_3の受信が完了したと判定すれば、ステップＳ４にてＨｉ−ＭＤのシステムエリアに記録する。ステップＳ２にてData_1、Data_2、Data_3でないデータ、つまりシステムデータでないと判定すれば、現状のシステム同様、パーソナルコンピュータのふるまいに従ってディスクに書き込みを行う。
【００７７】
図１１には、本実施例の効果である処理速度の向上化を説明するための図を示す。従来の方法（図６参照）との比較で説明する。本発明によれば、書き込みが1回、処理Ａが1回と大幅に書き込み速度向上が実現できる。
【００７８】
図９に示した従来の例は、パーソナルコンピュータ１００に命令されたら、すぐに書きこみ処理を行うというものであるが、本発明は、あえて、パラメータやフラグをチェックし、システムデータであることを判定すると、Data_1、Data_2、Data_3のデータについては、Data_3データの受信が完了後、1回の処理でディスクに書き込む。連続してＤＲＡＭにデータをためられるので、ディスク上の既存データを読み込んでくるという必要がなくなり、処理Ｂを不要とする。実測で、５秒ほど書きこみ速度が速くなる。
【００７９】
以上説明したように、図１及び図４に構成を示した情報処理システムによれば、パーソナルコンピュータと記録再生装置１（デバイス）間の転送速度を劣化させることなく、書き込み速度の向上化を実現することができる。また、速度の向上化に伴うデータ保証の信頼性劣化は生じない。
【００８０】
なお、以上は例えばパーソナルコンピュータ１００との伝送を伴うデータの記録再生のための制御であり、例えばミニディスク方式のオーディオデータなどの記録再生時のデータ転送は、入出力処理部５を介して行われる。入出力処理部５は、例えば入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備える。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを備えればよい。また、本実施の形態としは、ビデオデータに関しては、特に記録再生可能なフォーマットの限定は行わないが、例えばＭＰＥＧ４などが考えられる。そして、入出力処理部５としては、このようなフォーマットに対応したエンコーダ／デコーダを備えればよいこととなる。さらに入出力処理部５は、出力系として、デジタルオーディオデータ出力部や、Ｄ／Ａ変換器及びライン出力回路／ヘッドホン出力回路等のアナログ音声信号出力部を備える。
【００８１】
また、この場合の入出力処理部５内には、暗号処理部５ａが備えられる。暗号処理部５ａにおいては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００８２】
入出力処理部５を介した処理としてディスクにオーディオデータが記録されるのは、例えば入力ＴＩＮとして入出力処理部５にデジタルオーディオデータ（又はアナログ音声信号）が入力される場合である。入力されたリニアＰＣＭデジタルオーディオデータ、或いはアナログ音声信号で入力されＡ／Ｄ変換器で変換されて得られたリニアＰＣＭオーディオデータは、ＡＴＲＡＣ圧縮エンコードされてキャッシュメモリ３に蓄積される。そして所定タイミング（ＡＤＩＰクラスタ相当のデータ単位）でキャッシュメモリ３から読み出されてストレージ部２に転送される。ストレージ部２では、転送されてくる圧縮データを所定の変調方式で変調してディスクに記録する。
【００８３】
ディスクからミニディスク方式のオーディオデータが再生される場合は、ストレージ部２は再生データをＡＴＲＡＣ圧縮データ状態に復調してキャッシュメモリ３に転送する。そしてキャッシュメモリ３から読み出されて入出力処理部５に転送される。入出力処理部５は、供給されてくる圧縮オーディオデータに対してＡＴＲＡＣ圧縮デコードを行ってリニアＰＣＭオーディオデータとし、デジタルオーディオデータ出力部から出力する。或いはＤ／Ａ変換器によりアナログ音声信号としてライン出力／ヘッドホン出力を行う。
【００８４】
なお、この図４の記録再生装置１の構成は一例であり、例えば入出力処理部５は、オーディオデータだけでなく、ビデオデータに対応する入出力処理系を備えるようにしてもよい。また、パーソナルコンピュータ１００との接続はＵＳＢでなく、ＩＥＥＥ１３９４等の他の外部インターフェイスが用いられても良い。
【００８５】
図１２には、ストレージ部２の構成を示す。ストレージ部２においては、装填されたディスク９０をスピンドルモータ２９によってＣＬＶ方式で回転駆動させる。このディスク９０に対しては記録／再生時に光学ヘッド１９によってレーザ光が照射される。光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
【００８６】
また、ディスク９０を挟んで光学ヘッド１９と対向する位置には磁気ヘッド１８が配置されている。磁気ヘッド１８は記録データによって変調された磁界をディスク９０に印加する動作を行う。また、図示しないが光学ヘッド１９全体及び磁気ヘッド１８をディスク半径方向に移動させためスレッドモータ及びスレッド機構が備えられている。
【００８７】
このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。記録処理系では、音楽用ミニディスクに対する記録時に第１の変調方式の変調（ＥＦＭ変調・ＡＣＩＲＣエンコード）を行う部位と、高密度ディスクに対する記録時に第２の変調方式（ＲＬＬ（１−７）ＰＰ変調、ＲＳ−ＬＤＣエンコード）の変調を行う部位が設けられる。再生処理系では、音楽用ミニディスク（及び高密度ディスクのＵ−ＴＯＣ）の再生時に第１の変調方式に対する復調（ＥＦＭ復調・ＡＣＩＲＣデコード）を行う部位と、高密度ディスクの再生時に第２の変調方式に対する復調（パーシャルレスポンスＰＲ（１，２，１）及びビタビ復号を用いたデータ検出に基づくＲＬＬ（１−７）復調、ＲＳ−ＬＤＣデコード）を行う部位が設けられる。
【００８８】
光学ヘッド１９のディスク９０に対するレーザ照射によりその反射光として検出された情報（フォトディテクタによりレーザ反射光を検出して得られる光電流）は、ＲＦアンプ２１に供給される。ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００８９】
音楽用ミニディスク再生時には、ＲＦアンプで得られた再生ＲＦ信号は、ＥＦＭ復調部２４及びＡＣＩＲＣデコーダ２５で処理される。即ち再生ＲＦ信号は、ＥＦＭ復調部２４で２値化されてＥＦＭ信号列とされた後、ＥＦＭ復調され、さらにＡＣＩＲＣデコーダ２５で誤り訂正及びデインターリーブ処理される。即ちこの時点でＡＴＲＡＣ圧縮データの状態となる。そして音楽用ミニディスク再生時には、セレクタ２６はＢ接点側が選択されており、当該復調されたＡＴＲＡＣ圧縮データがディスク９０からの再生データとして出力される。この場合、キャッシュメモリ３に圧縮データが供給されることになる。
【００９０】
一方、高密度ディスク再生時には、ＲＦアンプで得られた再生ＲＦ信号は、ＲＬＬ（１−７）ＰＰ復調部２２及びＲＳ−ＬＤＣデコーダ２５で処理される。即ち再生ＲＦ信号は、ＲＬＬ（１−７）ＰＰ復調部２２において、ＰＲ（１，２，１）及びビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正及びデインターリーブ処理される。そして高密度ディスク再生時には、セレクタ２６はＡ接点側が選択されており、当該復調されたデータがディスク９０からの再生データとして出力される。この場合、キャッシュメモリ３に復調データが供給されることになる。
【００９１】
ＲＦアンプ２１から出力されるトラッキングエラー信号ＴＥ、フォーカスエラー信号ＦＥはサーボ回路２７に供給され、グルーブ情報はＡＤＩＰデコーダ３０に供給される。
【００９２】
ＡＤＩＰデコーダ３０は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスはシステムコントローラ８に供給される。システムコントローラ８ではＡＤＩＰアドレスに基づいて、所要の制御処理を実行する。またグルーブ情報はスピンドルサーボ制御のためにサーボ回路２７に供給される。
【００９３】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。またサーボ回路２７は、スピンドルエラー信号や、上記のようにＲＦアンプ２１から供給されたトラッキングエラー信号、フォーカスエラー信号、或いはシステムコントローラ８からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。即ち上記サーボエラー信号や指令に対して位相補償処理、ゲイン処理、目標値設定処理等の必要処理を行って各種サーボ制御信号を生成する。
【００９４】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御、及びスピンドルモータ２９に対するＣＬＶ制御が行われることになる。
【００９５】
ディスク９０に対して記録動作が実行される際には、キャッシュメモリ３からデータが供給される。音楽用ミニディスク記録時には、セレクタ１６がＢ接点に接続され、従ってＡＣＩＲＣエンコーダ１４及びＥＦＭ変調部１５が機能することになる。この場合、オーディオ処理部１０からの圧縮データはＡＣＩＲＣエンコーダ１４でインターリーブ及びエラー訂正コード付加が行われた後、ＥＦＭ変調部１５でＥＦＭ変調が行われる。そしてＥＦＭ変調データがセレクタ１６を介して磁気ヘッドドライバ１７に供給され、磁気ヘッド１８がディスク９０に対してＥＦＭ変調データに基づいた磁界印加を行うことでデータ記録が行われる。
【００９６】
高密度ディスク記録時には、セレクタ１６がＡ接点に接続され、従ってＲＳ−ＬＤＣエンコーダ１２及びＲＬＬ（１−７）ＰＰ変調部１３が機能することになる。この場合、メモリ転送コントローラ３からの高密度データはＲＳ−ＬＤＣエンコーダ１２でインターリーブ及びＲＳ−ＬＤＣ方式のエラー訂正コード付加が行われた後、ＲＬＬ（１−７）ＰＰ変調部１３でＲＬＬ（１−７）変調が行われる。そしてＲＬＬ（１−７）符号列としての記録データがセレクタ１６を介して磁気ヘッドドライバ１７に供給され、磁気ヘッド１８がディスク９０に対して変調データに基づいた磁界印加を行うことでデータ記録が行われる。
【００９７】
レーザドライバ／ＡＰＣ２０は、上記のような再生時及び記録時においてレーザダイオードにレーザ発光動作を実行させるが、いわゆるＡＰＣ（Ａｕｔｏｍａｔｉｃ Ｌａｚｅｒ Ｐｏｗｅｒ Ｃｏｎｔｒｏｌ）動作も行う。即ち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。なお、レーザパワーとしては、再生レーザパワー、記録レーザパワーとしての値がシステムコントローラ８によって、レーザドライバ／ＡＰＣ２０内部のレジスタにセットされる。
【００９８】
以上の各動作（アクセス、各種サーボ、データ書込、データ読出の各動作）は、システムコントローラ８からの指示に基づいて実行される。
【図面の簡単な説明】
【００９９】
【図１】情報処理システムの構成図である。
【図２】光磁気ディスクのディスク上のエリア構造を模式的に示す図である。
【図３】ディスクの管理構造を示す図である。
【図４】記録再生装置の詳細な構成図である。
【図５】確認読込み処理（処理Ａ）の概要を示す図である。
【図６】ディスクのデータ破壊が生じる場合を示す図である。
【図７】書き込みのための読み込み処理（処理Ｂ）の概要を示す図である。
【図８】システムデータエリアの構成図である。
【図９】システムデータエリアの書き込み処理（本発明の適用ではない）の概要を示す図である。
【図１０】本発明を適用したシステムデータエリア書き込み処理の手順を示すフローチャートである。
【図１１】本実施例の効果である処理速度の向上化を説明するための図である。
【図１２】記録再生装置におけるストレージ部の構成を示す図である。
【図１３】各ＭＤのフォーマットを示す図である。
【符号の説明】
【０１００】
１  記録装置（記録再生装置）、２  記録部、３  記憶部、８  判別部、９０  光磁気ディスク、１００  パーソナルコンピュータ
【図１】
2007080301.tif 000003
【図２】
2007080301.tif 000004
【図３】
2007080301.tif 000005
【図４】
2007080301.tif 000006
【図５】
2007080301.tif 000007
【図６】
2007080301.tif 000008
【図７】
2007080301.tif 000009
【図８】
2007080301.tif 000010
【図９】
2007080301.tif 000011
【図１０】
2007080301.tif 000012
【図１１】
2007080301.tif 000013
【図１２】
2007080301.tif 000014
【図１３】
2007080301.tif 000015